(57)【要約】【課題】印刷文献と電子インク表示文献の目標情報検索方法及び装置の提供。【解決手段】印刷された或いは電子インク表示された本或いは文献内での目標位置指示を行う方法を提供する。この目標は語、記号列、図及び写真を含む。本発明はまたこの方法を実施するために関係するハードコピー材料に付設されるか或いは独立設置される装置を提供する。【選択図】        図１
2004246587.tif 000002
【特許請求の範囲】
【請求項１】
印刷文献と電子インク表示文献の目標情報検索方法において、
印刷文献と電子インク表示の文献の情報内容中より読者の欲する目標情報を検索するメカニズムと、
読者とコミュニケートしてインタラクティブに動作するメカニズムと、
を具え、読者が検索したい目標情報の文献中の位置を探し出せるようにすることを特徴とする、印刷文献と電子インク表示文献の目標情報検索方法。
【請求項２】
印刷文献と電子インク表示文献の目標情報検索装置において、電子インク表示文献が電子インク新聞とされ、該電子インク新聞が、無線通信方式で定時に毎日の新聞内容を更新し、該目標情報検索装置が、電気的に相互に連接された読み書き可能なメモリと、入力インタフェースと、出力インタフェースと、文献内容を処理する主動電子演算ユニットと、を具え、文献に付設された検索装置が読者の入力する目標情報に関する検索請求に応答し、該目標情報の印刷文献中の位置を出力インタフェースを透過して読者に告知し、該装置が電子インク新聞を含む電子インク表示文献に付設される時、検索した目標情報を強調突出する方式で文献内容中に表示することを特徴とする、印刷文献と電子インク表示文献の目標情報検索装置。
【発明の詳細な説明】
【０００１】
【発明の属する技術分野】
本発明は一種の印刷文献と電子インク表示文献の目標情報検索方法及び装置に関する。
【０００２】
【従来の技術】
本或いは文献の読者の多くがよく経験することに、語句は文、或いは興味のある写真を、現在読んでいる或いは過去に読んだ文献中より探す時、必要に迫られるほど探すのに手間取ったり時間がかかる、ということがある。通常、書物の巻末に印刷された索引は十分なものではなく、特に書物の内容が高度に技術的なものであったり、複雑であったり、或いは豊富である場合は一層である。電子書籍或いはウェブベースのブラウザと検索能力を具えたＰＣ（ｐｅｒｓｏｎａｌ  ｃｏｍｐｕｔｅｒｓ）はこれに対する一応の解決策たりえる。しかし、高価な電子装置に投資する準備ができていない者、或いは明るいスクリーンでテキストを眺める習慣に変更するのを好まぬ者にとっては、伝統的な本のページをめくる方が快適である。一方、好みの本を格納したチップをプラグインしようとしてそれが全く関係ないソースからのものであると分かった時は大抵苛立つものである。
【０００３】
このような必要に対応するために書籍販売者が採用する方法は、販売書籍にＣＤ−ＲＯＭを添付する方法である。ＣＤ−ＲＯＭには書籍内容の一部或いは全部が電子形態で保存されている。しかしながら、書籍は携帯物品に属し、多くの場合、人々はスタンバイさせた或いは利用可能なデスクトップ型コンピュータやノートブック型コンピュータで書籍を読もうとはしないものである。伝統的な書籍の読者は、役に立ち高価でない目標（語（ｗｏｒｄ）、記号列（ｓｔｒｉｎｇ）、写真を含む）情報検索装置を具えたハードコピー本を切に望んでいる。
【０００４】
【発明が解決しようとする課題】
本発明の主要な目的は、迅速にハードコピー本或いは電子インク表示文献を含む印刷物中より興味のある語、記号列、或いは写真を迅速に検索できる便利な方法及びそれに使用される装置を提供することにある。
【０００５】
【課題を解決するための手段】
請求項１の発明は、印刷文献と電子インク表示文献の目標情報検索方法において、
印刷文献と電子インク表示の文献の情報内容中より読者の欲する目標情報を検索するメカニズムと、
読者とコミュニケートしてインタラクティブに動作するメカニズムと、
を具え、読者が検索したい目標情報の文献中の位置を探し出せるようにすることを特徴とする、印刷文献と電子インク表示文献の目標情報検索方法としている。
請求項２の発明は、印刷文献と電子インク表示文献の目標情報検索装置において、電子インク表示文献が電子インク新聞とされ、該電子インク新聞が、無線通信方式で定時に毎日の新聞内容を更新し、該目標情報検索装置が、電気的に相互に連接された読み書き可能なメモリと、入力インタフェースと、出力インタフェースと、文献内容を処理する主動電子演算ユニットと、を具え、文献に付設された検索装置が読者の入力する目標情報に関する検索請求に応答し、該目標情報の印刷文献中の位置を出力インタフェースを透過して読者に告知し、該装置が電子インク新聞を含む電子インク表示文献に付設される時、検索した目標情報を強調突出する方式で文献内容中に表示することを特徴とする、印刷文献と電子インク表示文献の目標情報検索装置としている。
【０００６】
【発明の実施の形態】
実施例１：
本実施例の検索装置は、基板５（図１参照）上に構築された電子システムとされ、該基板５は、プリント基板或いは他のフレキシブル材料、例えば曲げることのできるプラスチックとされる。基板５上には、電源１０、ディスプレイ２０、入力インタフェース３０、不揮発性メモリ４０、マイクロプロセッサ、及び任意入出力ポート６０（ｏｐｔｉｏｎａｌ  Ｉ／Ｏ  ｐｏｒｔ）がある。該不揮発性メモリ４０には、電子書籍（文献）内容４１、検索命令セット４２、字体変換器４３、バッファ４４、及び後の読者のエントリー用のフリースペース４５がインストールされている。これらの主要な機能要素は基板５に印刷された金属線を介して電気的に連接されている。
電源１０は太陽電池とされうる。これは書籍及び書類が通常適当な明かりのもとで読まれるためである。ディスプレイ２０にはＬＣＤ（液晶ディスプレイ）を使用可能である。入力インタフェース３０はキーボード或いは手書き認識機能を具えたタッチパッドとされ、基板５に直接或いは間接的に連接される。不揮発性メモリ４０はデータ取り出しメカニズムを具えた高密度ＮＡＮＤフラッシュとされうる。検索命令セット４２（ｓｅａｒｃｈ  ｉｎｓｔｒｕｃｔｉｏｎ  ｓｅｔ）及び字体変換器４３（ｆｏｎｔ  ｃｏｎｖｅｒｔｅｒ）はテキストベース及びＡＳＣＩＩコードに従うものとされうる。電子書籍（文献）内容４１は不揮発性メモリ４０に直接ロード可能とされる。マイクロプロセッサ５０は各メーカー製、例えばテキサスインストルメント社或いは東芝の適当な８ビットのノーマルアイテムとされる。入出力ポート６０は他の類似の装置にクロスリファレンスのために連結されるかダウンロードのためにコンピュータに連結されるように配置されうる。語或いは句或いは写真キャプションはどこに位置していても入力インタフェース３０に入力され、ディスプレイ２０は位置するページ番号を表示する。この場合、検索装置は目標が出現する複数の場所がある時に、例えばスペースバーを押す度に一つずつ表示するように設計される。
図２は簡易テキスト検索アルゴリズムのフローチャートを示し、これは本発明の実施例であって本発明の実施範囲を限定するものではない。この実施例によると、チップ挿入段階２（任意であり、すなわちチップが本発明の装置の統合部品であれば不必要である）の後、書籍内容がテキストファイルに保存９０され（Ｏｒｉｇｉｎａｌ．ｔｘｔ）、それは、純文字テキストとページ境界についての情報を含む。その後、ファイルクリーニング段階９２で語（或いは日本文字）の間のスペースを除く全ての非文字エンティティー、例えばコンマ、ピリオド、ハイフンを除去する。次に、フォーマット及びエンコード段階９４で、さらに上述の修飾されたテキストファイルをマトリクスフォーマット（Ｆｉｌｅ（ページ番号、段落番号））で保存する。例えば、新しいテキストファイル“Ｆｉｌｅ（３，２）”は関係文献の第３ページの第２段落の全てのテキストを含む。そして、ＡＮＳＩ／ＩＳＯ規格のような選択されたエンコード規格を使用し、このフォーマット及びエンコード段階９４で語を適切なコードに変換する。例えば、日本語の文字は片仮名に変換されて後のテキスト検索が行い易くされる。使用者の問い合わせ９６が入力されると（即ちテキスト記号列“キー”）、指示された“キー”のテキストサーチ９８のための漸次実行ループ（ｄｏ−ｗｈｉｌｅ  ｌｏｏｐ）が開始され、結果が続いて出力待ち行列９９に送られる。キーボードのスペースバーを一度押すと一つの場所（ページ番号，段落番号）が読者に表示されるよう設計されうる。或いは、使用者は音声入力（マイクロホン）１９７を利用でき、この場合、指定コード規格でテキスト記号列“キー”に変換１９８される。或いは場合によってはスピーカー１０１がディスプレイ１００の代わりに使用され、それは結果の場所情報を予め記録された人間の音声或いは人工合成音声で告知する。
図３中の検索装置８２は平面サイズが文献８８以下に形成されうる。装置８２の文献８８への連結手段に磁石８４を利用可能で、それは文献８８の裏表紙の内側に接着され、金属板８６が装置の背面に固定される。
【０００７】
実施例２：
この実施例は本発明の、再使用可能な電子インク（即ちｅ−インク）書類に表示された本、文献の検索手段に属する。電子インク文献においてテキストとイメージ（線画、写真を含む）は紙上に印刷されないが、電子インク紙の層の間の荷電分子クラスタの適当なローカル電気バイアスを使用して表示される。
この場合、図３中の現在の文献８８は伝統的な紙に印刷された文献ではなく電子インク文献とされる。この場合、図３における検索装置８８は同じ電子インク紙で形成され関係する電子インク文献と同じ電源を使用する。このにおいて、図１における基板５は電子インク紙とされ、ゆえに分離された電源１０とディスプレイ２０は設計により保留される。全ての他の要素は電気的に金属線により連接され、この金属線は電子インク紙に印刷されるか或いは埋め込まれる。さらに、検索された情報のページ番号が入力インタフェース３０への問い合わせ入力後に告知されるだけでなく、突き止められた情報そのものが自動的にページ上で、図３に示される文献８８内の大部分のテキストのものとは異なる所定の字体及び又は色で強調される。図４は図２に類似のテキスト検索アルゴリズムのフローチャートであるが、出力段階１０２でグレースケールか、“キー”の見つかった電子インク紙のページ上の記号列の色かが選択される。
【０００８】
実施例３：
図５及び図６に示されるように、本実施例は再使用できる電子インク紙（ｅ−ペーパー）に表示された新聞、雑誌等への応用に関する。すなわち、それらにおいて、ＲＦ  ＩＤタグを具えた再使用できる電子インク紙は、その新版をダウンロードでき、例えば、“ニューヨークＥＥタイムズ”は毎朝、ワイヤレスＬＡＮをベースとしたＩＥＥＥ８０２．１１のような無線通信手段を透過してダウンロードされて表示される。この場合（図５参照）、目標検索装置１８２が電子インク紙の所定の一つ或いは複数の位置に取り付けられる。さらに、この実施例では、装置１８２は同じ電子インク紙１８５で形成されて関係する電子インク文献１８８と同じ電源１１０を共同使用する（図５参照）。装置１８２には、入力インタフェース１３０、メモリ１４０、マイクロプロセッサ１５０、及び無線通信モジュール１７０が設けられている（図６参照）。
図７は日刊ＲＦ配達電子新聞のための簡易テキスト検索アルゴリズムのフローチャートである。図４に示されるものとほぼ同じであるが、この実施例では、図４のチップ挿入段階２が、ＲＦ入力段階１に置き換えられている。
【０００９】
【発明の効果】
本発明は、迅速にハードコピー本或いは電子インク表示文献を含む印刷物中より興味のある語、記号列、或いは写真を迅速に検索できる便利な方法及びそれに使用される装置を提供している。
【図面の簡単な説明】
【図１】本発明の目標検索装置の構成要件のレイアウト実施例図である。
【図２】本発明の、印刷物に付属の検索装置に使用される簡易テキスト検索アルゴリズムのフローチャートである。
【図３】本発明の、書籍の検索装置の付属形式の実施例図である。
【図４】本発明の、電子インク表示文献に付属の検索装置に用いられる簡易テキスト検索アルゴリズムのフローチャートである。
【図５】本発明の、電子インク表示書類に表示された無線更新可能新聞に統合された検索装置の実施例図である。
【図６】本発明の、別の目標検索装置の構成要件のレイアウト実施例図である。
【図７】本発明の、毎日ＲＦ更新される電子新聞に付属の検索装置のための簡易テキスト検索アルゴリズムのフローチャートである。
【符号の説明】
５  基板
１０  電源
２０  ディスプレイ
３０  入力インタフェース
４０  不揮発性メモリ
５０  マイクロプロセッサ
６０  入出力ポート
４１  電子書籍（文献）内容
４２  検索命令セット
４３  字体変換器
４４  バッファ
４５  フリースペース
８２  検索装置
８８  文献
８４  磁石
８６  金属板
１８２  装置
１８５  電子インク紙
１８８  電子インク文献
１１０  電源
１３０  入力インタフェース
１４０  メモリ
１５０  マイクロプロセッサ
１７０  無線通信モジュール
【図１】
2004246587.tif 000003
【図２】
2004246587.tif 000004
【図３】
2004246587.tif 000005
【図４】
2004246587.tif 000006
【図５】
2004246587.tif 000007
【図６】
2004246587.tif 000008
【図７】
2004246587.tif 000009